(57)【要約】【課題】扁平な広告用照明装置における蛍光灯の放射光線を、蛍光灯中心部への偏りを少なくして平均化する。【解決手段】軸線を、平面状被照射体３における被照射面３ａと平行にして設けた直管状光源４と、被照射面３ａと直管状光源４の表面との間で、両面が最短距離をなす真正面に接近して設けられ、直管状光源４から正面付近に向けて放射される光線の一部を、被照射面３ａに概ね平行として側方に分光する光線分岐体Ａと、直管状光源４から直接側方に放射される光線、並びに前記光線分岐体Ａを介して側方に分光される光線を、被照射面３ａに向けて反射する側方反射部５ｃ、並びに直管状光源４から背面方向に放射される光線を、被照射面３ａに向けて反射する背面反射部５ｄを有する反射板５とを備えている。【選択図】        図１
2004192881.tif 000002
【特許請求の範囲】
【請求項１】
軸線を、平面状被照射体における被照射面と平行にして設けた直管状光源と、
被照射面と直管状光源の表面との間で、両面が最短距離をなす真正面に接近して設けられ、直管状光源から正面付近に向けて放射される光線の一部を、被照射面と概ね平行として、側方に分光する光線分岐体と、
直管状光源から直接側方に放射される光線、並びに前記光線分岐体を介して側方に分光される光線を、被照射面に向けて反射する側方反射部、並びに直管状光源から背面方向に放射される光線を、被照射面に向けて反射する背面反射部を有する反射板
とを備えてなることを特徴とする広告用照明装置。
【請求項２】
直管状光源が蛍光灯である、請求項１に記載の広告用照明装置。
【請求項３】
光線分岐体が、直管状光源の正面に、直管状光源の長手方向と平行に、複数設けられている、請求項１または２に記載の広告用照明装置。
【請求項４】
光線分岐体が、直管状光源に、その軸線と直交して貫通させた複数の支持板により、直管状光源の長手方向に沿って支持してなる、請求項１〜３のいずれかに記載の広告用照明装置。
【請求項５】
光線分岐体を、直管状光源に巻き付けたバネ状板その他の支持帯により、直線状光源の長手方向に沿って設けてなる、請求項１〜３のいずれかに記載の広告用照明装置。
【請求項６】
光線分岐体が、プリズムである、請求項１〜５のいずれかに記載の広告用照明装置。
【請求項７】
光線分岐体が、ハーフミラーである、請求項１〜５のいずれかに記載の広告用照明装置。
【請求項８】
光線分岐体が、少なくとも背面側を鏡面とした多孔板である、請求項１〜５のいずれかに記載の広告用照明装置。
【請求項９】
背面反射部が、直管状光源の軸線上の縦断面において、直管状光源の後方に、その直管状光源がほぼ真後ろに放射する光線を、両側方に向けて反射する、頂点を真正面に向けた２等辺三角形の反射部を備えている、請求項１〜８いずれかに記載の広告用照明装置。
【発明の詳細な説明】
【０００１】
【発明の属する技術分野】
本発明は、駅舎や地下街通路等の壁面に掲示されるか、または袖看板とされている広告用の照明装置に関する。
【０００２】
【従来の技術】
従来、壁面広告には、広告物を透明体もしくは半透明体とし、その広告物の背面に、棒状発光体、例えば蛍光灯を複数本並設するとともに、広告物の背面と密接させて、乳白色の拡散板を設け、その拡散板が、見かけ上平面光源となるようにした背面照明を設けたものがある。
【０００３】
図９および図１０は、それぞれ、従来の広告用照明装置の正面図、および中央縦断面図である。
【０００４】
広告用照明装置（０１）における枠状ケース（０２）の正面には、乳白色の拡散板（０３）が設けられ、この拡散版（０３）の背面には、複数の水平の蛍光灯（０４）が、上下に並設されている。
【０００５】
なお、図では蛍光灯（０４）を２本としてあるが、４本が設けられていることが多い。
【０００６】
各蛍光灯（０４）の後面には、その蛍光灯（０４）の長手方向に沿って反射板（０５）が設けられ、蛍光灯（０４）の後面方向に放射された光を、前方に向けて反射するようになっている。
【０００７】
乳白色の拡散板（０５）は、後面から直進してくる光線を不規則方向に乱反射するもので、正面側から見ると、見る方向に係わらず、拡散板（０５）自体が白く発光しているように見える。
【０００８】
基板を透明もしくは半透明とした広告物（０６）は、拡散板（０３）の前面に設けられ、その前面を、ガラス板やアクリル板等の透明保護板（０７）で覆って、広告媒体として提供される。
【０００９】
なお、本発明に関連する先行技術文献は、本発明者および本出願人が知る限りにおいて存在しない。
【００１０】
【発明が解決しようとする課題】
地下街等の壁掛広告媒体には、複数の発光光源を内蔵しているものがあり、それらは、通常、１８時間〜２４時間の点灯を要する。
【００１１】
また、発光光源の間隔を広くすると、拡散版に光のムラが生じるので、蛍光灯の本数を増して、間隔をできるだけ小としている。
【００１２】
しかし、このようにしても、隣接する蛍光灯間において、光度の高い部分と低い部分が生じて、面光源としての特性が劣化する課題がある。
【００１３】
図１１、図１２は、図９における下段の蛍光灯（０４）の左側半分のサンプル領域の光量分布を測定した立体グラフを示す。
【００１４】
この光量分布図に示す如く、拡散板（０３）と蛍光灯（０４）の距離が最も接近している蛍光灯（０４）における中心部の縦分割領域（Ｓ５）（Ｓ６）で、光度が最も高く、中心軸線と直交する上下方向に遠ざかる縦分割領域（Ｓ１０）（Ｓ１）ほど、大幅に光度が低下している。
【００１５】
これは、光度が光源からの距離の２乗に反比例して減少するからであり、２つの光源との距離を離すと、その境目では、光源真正面より大幅に光度は下がる。
【００１６】
しかし、この光度の不均一を解消するために、２つの蛍光灯（０４）の間隔を小さくすると、１つの広告物に対する蛍光灯の数が増して、電気料が嵩むことになる。
【００１７】
しかも、蛍光灯の数を増して、全体の光量を増しても、広告効果を大幅に増すことにはならないので、光量の必要以上の増加は、無駄になる。
【００１８】
本発明は、上述の問題点に鑑み、扁平な広告用照明装置における蛍光灯の放射光線を、蛍光灯中心部への偏りを少なくして、平均化し、少ない蛍光灯の数をもって、面光源としての照明効果を損なうことなく、広告物を広範囲に照明し、しかも消費電力を節減するようにした、照明装置を提供することを目的としている。
【００１９】
【課題を解決するための手段】
本発明によると、上記課題は、次のようにして解決される。
【００２０】
（１）  軸線を、平面状被照射体における被照射面と平行にして設けた直管状光源と、被照射面と直管状光源の表面との間で、両面が最短距離をなす真正面に接近して設けられ、直管状光源から正面付近に向けて放射される光線の一部を、被照射面と概ね平行として、側方に分光する光線分岐体と、直管状光源から直接側方に放射される光線、並びに前記光線分岐体を介して側方に分光される光線を、被照射面に向けて反射する側方反射部、並びに直管状光源から背面方向に放射される光線を、被照射面に向けて反射する背面反射部を有する反射板とを備えている。
【００２１】
（２）  上記（１）項において、直管状光源を蛍光灯とする。
【００２２】
（３）  上記（１）項または（２）項において、光線分岐体を、直管状光源の正面に、直管状光源の長手方向と平行に複数設ける。
【００２３】
（４）  上記（１）〜（３）項のいずれかにおいて、光線分岐体を、直管状光源に、その軸線と直交して貫通させた複数の支持板により、直管状光源の長手方向に沿って支持する。
【００２４】
（５）上記（１）〜（３）項のいずれかにおいて、光源分岐体を、直管状光源に巻き付けたバネ板状その他の支持帯により、直線状光源の長手方向に沿って設ける。
【００２５】
（６）  上記（１）〜（５）項のいずれかにおいて、光線分岐体を、プリズムとする。
【００２６】
（７）  上記（１）〜（５）項のいずれかにおいて、光線分岐体を、ハーフミラーとする。
【００２７】
（８）  上記（１）〜（５）項のいずれかにおいて、光線分岐体を、少なくとも背面側を鏡面とした多孔板とする。
【００２８】
（９）  上記（１）〜（８）項のいずれかにおいて、背面反射部が、直管状光源の軸線上の縦断面において、直管状光源の後方に、その直管状光源がほぼ真後ろに放射する光線を、両側方に向けて反射する、頂点を真正面に向けた２等辺三角形の反射部を備えている。
【００２９】
【発明の実施の形態】
図１は、本発明に係る広告用照明装置の一実施形態を示す正面図、図２は、図１の中央縦断左側面図である。
【００３０】
図１、図２に示す広告用照明装置（１）は、周囲を囲った枠状ケース（２）の前面に拡散板（３）を設け、前記拡散板（３）の背面に、拡散板（３）が光線を受容する被照射面（３ａ）と軸線を平行とし、かつ長手方向を左右に向けた、１つもしくは複数の直管状光源、例えば、２本の水平の蛍光灯（４）を、上下に並設して形成されている。
【００３１】
各蛍光灯（４）の背面には、それぞれ反射板（５）が設けられている。
【００３２】
反射板（４）の左右端は、枠状ケース（２）の右枠材（２ａ）と左枠材（２ｂ）に当接している。
【００３３】
各蛍光灯（４）は、枠状ケース（２）の上半分と下半分の各中央部に、それぞれに設けられている。
【００３４】
上部の反射板（５）の上端（５ａ）と、下部の反射板（５）の下端（５ｂ）は、枠状ケース（２）の上枠材（２ｃ）と下枠材（２ｄ）に、それぞれ接している。
【００３５】
上部の反射板（５）の下端（５ｂ）と、下部の反射板（５）の上端（５ａ）をもって、上下の反射板（５）は上下に連設されている。
【００３６】
反射板（５）の背面には、枠状ケース（２）の裏板（２ｅ）が設けられている。
【００３７】
蛍光灯（４）における両端のソケット（６）は、基部（６ａ）が裏板（２ｅ）に固定され、接続部（６ｂ）は、反射板（５）の前方に突出している。
【００３８】
拡散板（３）における被照射面（３ａ）と各蛍光灯（４）の表面が最も接近した部分、即ち蛍光灯（４）の真正面部分には、蛍光灯（４）の中心線より上方と下方に、蛍光灯（４）から正面付近に向けて放射される光線の一部を、拡散板（３）にほぼ平行として、側方に分光する、１つもしくは複数の光線分岐体（Ａ）、例えば、２本のプリズム（７）が設けられている。
【００３９】
各プリズム（７）は、真正面の中心線を対称軸にして、軸線と直交する断面形において、上下に対称に設けられている。
【００４０】
図４は、その中心線より下方の光路図を示すもので、上方の光路は対称であるので、省略してある。
【００４１】
プリズム（７）は、適数の支持板（８）により、蛍光灯（４）の長手方向に適当箇所で、蛍光灯（４）の正面の適正位置に、図４に示すような所要の角度をもって、固定されている。
【００４２】
プリズム（７）を、蛍光灯（４）に巻回したバネ板状その他の支持帯をもって支持してもよい。
【００４３】
支持板（８）には、図３に示す如く、蛍光灯（４）が貫通する孔（８ａ）が中央に穿設され、反射板（５）に設けた位置決め孔（９）に挿通する突片（８ｂ）を、下端部に突設してある。
【００４４】
蛍光灯（４）の真後に相当するところには、反射体（１０）が設けられている。
【００４５】
反射体（１０）は、図４に示す如く、横断面形を２等辺三角形とし、蛍光灯（４）の軸線に、等辺頂部稜線（１０ａ）を合致させて、蛍光灯（４）の長手方向に平行して延び、斜辺（１０ｂ）を反射板（５）の板面に密着させて設けられている。
【００４６】
前記支持板（８）には、蛍光灯（４）を貫通する孔（８ａ）の真下に、反射体（１０）を跨ぐ三角形の切込み（８ｃ）が設けられている。
【００４７】
反射体（１０）における等辺（１０ｃ）の表面は、鏡面になっており、その鏡面は、蛍光灯（４）が背面方向に放射する光を側方に反射している。
【００４８】
蛍光灯（４）の正面側に設けられた光線分岐体、即ちプリズム（７）は、縦断面形を直角２等辺とする直角プリズムからなり、斜面（７ａ）を正面に向け、かつその斜面（７ａ）と鋭角をなし、蛍光灯（４）の光放射面方向に面を向けた一方の等辺（７ｂ）を、拡散板（３）の被照射面（３ａ）に対して、１５度傾けてある。
【００４９】
プリズム（７）は、光放射面方向に面を向けた一方の等辺（７ｂ）を、光の入射面とし、それと直角に交わるもう一方の等辺（７ｃ）を放射面として、蛍光灯（４）の正面方向に放射する光線の一部を、拡散板（３）における被照射面（３ａ）に対してほぼ平行に分光する。
【００５０】
反射板（５）は、蛍光灯（４）から直接側方に放射される光線、並びに前記プリズム（７）を介して側方に分光される光線を、被照射面（３ａ）に向けて反射する側方反射部（５ｃ）、並びに蛍光灯（４）から背面方向に放射される光線を、被照射面（３ａ）に向けて反射する背面反射部（５ｄ）を備えている。
【００５１】
図５と図６は、図１において、下部の蛍光灯（４）における左側半分のサンプル領域の光度分布を計測した立体グラフであり、図５は、上記領域を左側上方から俯瞰した立体グラフ、図６は、同サンプル領域を右側から俯瞰した立体グラフである。
【００５２】
本発明によると、従来の図１１および図１２の光度分布図と比較して、蛍光灯（４）の真正面に対応する縦割領域Ｓ５、Ｓ６における中央部寄り横割領域６〜１１の光度は、２００（ｃｄ）前後に大幅に減少し、光度が８００（ｃｄ）前後の中間値を示す計測領域が、上下に幅を広げている。
【００５３】
すなわち、従来の図１１および図１２においては、光度８００（ｃｄ）を得る計測領域が、上部の縦割領域Ｓ１０、下部の縦割領域Ｓ１に達していなかったが、本発明に関する図５および図６においては、光度８００（ｃｄ）を得る計測領域が、最外側の上部の縦割領域Ｓ１０と下部の縦割領域Ｓ１に達している。
【００５４】
図７は、光線分岐体（Ａ）をハーフミラー（１１）とした別の実施形態を示すものである。
なお、同一符号を付したものは、先の実施形態と同じであるため、その詳細な説明は省略する。
【００５５】
ハーフミラー（１１）は、蛍光灯（４）の正面側に、ハーフミラー（１１）の鏡面に入射した光線の一部が、側方反射部（５ｃ）に向けて反射するような角度をもって、適宜固着されている。
【００５６】
ハーフミラー（１１）を通過する光線は、正面の拡散板（３）に到達するが、その距離は短いので、ハーフミラー（１１）の光源透過率は小さくても良い。即ち、蛍光灯（４）正面の光度が、各領域の平均値、約１０００（ｃｄ）程度になるように、透過率を定める。
【００５７】
ハーフミラー（１１）は、光エネルギーの消耗はほとんどないので、側方に反射された光線は、外側の領域の光度を上げて、領域全体の光度が平均化され、拡散板（３）は、理想的な面光源に近づく。
【００５８】
図８は、光線分岐体（Ａ）を、多孔板をなすパンチングパネル（１２）とした、さらに別の実施形態を示すものである。
【００５９】
パンチングパネル（１２）は、一例として円型の孔（１２ａ）を、６角形の頂点に多数設けた細密ピッチ構造をなして、孔（１２ａ）の面積率を５０〜７０％としたもの、または正面部から外側に向けて、面積率を漸次増大させたものをが用いられる。
【００６０】
パンチングパネル（１２）は、アルミニウムを素材とした板の場合は、背面側を磨いて鏡面にしてある。
【００６１】
パンチングパネル（１２）は、加工が容易で、かつ安価であるため、大きい面積のものを容易に使用できるため、幅広く正面部の光線を側方に分光することができる。
【００６２】
また、パンチングパネル（１２）と光線の入射角度によって、光線の透過率を変化できるので、平均化の細かな調節が、パンチングパネル（１２）の曲げ具合により可能となる。
【００６３】
【発明の効果】
請求項１記載の発明によれば、光源と拡散板の距離が近い扁平で広い面積の広告用照明装置において、周辺部等の光度を平均化させることができる。
【００６４】
請求項２記載の発明によれば、光源の長手方向には、安定して均一の光度が得られるので、長手方向と直交する方向にのみ、平均化を計ればよい。
【００６５】
請求項３記載の発明によれば、光源の長手方向の軸線を対称軸として、対称構造にできるので、共通部品を使用できる。
【００６６】
請求項４記載の発明によれば、光源が光線分岐体の支持板を貫通しているので、光線分岐体と光源の相対位置が変化し難く、また、光源の近くに支持板があるので、支持板の陰が拡散板に生じ難い。
【００６７】
請求項５記載の発明によれば、直管状光源の着脱、交換が容易である。
【００６８】
請求項６記載の発明によれば、光線の分岐をプリズムによる全反射で行わせるため、光エネルギーの減衰が少ない。
【００６９】
請求項７記載の発明によれば、光線の分岐をハーフミラーで行わせるので、光線分岐体の陰が拡散板に生じ難い。
【００７０】
請求項８記載の発明によれば、光線の分岐を多孔板で行わせるので、多孔板の板面と入射光線の角度によって、光線の透過率を調節できるとともに、多孔板は大面積のものが容易に作れるので、安価に提供できる。
【００７１】
請求項９記載の発明によれば、光源から真後に放射される光線を、照明用に利用することができる。
【図面の簡単な説明】
【図１】本発明の一実施形態を示す広告用照明装置の正面図である。
【図２】図１の中央縦断左面図である。
【図３】光線分岐体を保持する保持板の斜視図である。
【図４】光線分岐体としてプリズムを用いた実施態様の光路図である。
【図５】図１における左下略４分の１のサンプル領域に対して、縦軸に光度を対応させて示す、光度分布の立体グラフを、サンプル領域の左側から俯瞰した図である。
【図６】同光度分布の立体グラフを、サンプル領域の右側から俯瞰した図である。
【図７】光線分岐体としてハーフミラーを用いた実施態様の光路図である。
【図８】光線分岐体として多孔板を用いた実施態様の光路図である。
【図９】従来の広告用照明装置の正面図である。
【図１０】図９における中央縦断左側面図である。
【図１１】図９における左下約４分の１のサンプル領域に対して、縦軸に光度を対応させて示す、光度分布の立体グラフを、サンプル領域の左側から俯瞰した図である。
【図１２】同光度分布の立体グラフを、サンプル領域の右側から俯瞰した図である。
【符号の説明】
（１）照明装置
（２）枠状ケース
（２ａ）右枠材
（２ｂ）左枠材
（２ｅ）裏板
（３）拡散板（平面状被照射体）
（３ａ）被照射面
（４）蛍光灯（直管状光源）
（５）反射板
（５ａ）上端
（５ｂ）下端
（５ｃ）側方反射部
（５ｄ）背面反射部
（６）ソケット
（６ａ）基部
（６ｂ）接続部
（７）プリズム
（７ａ）斜面
（７ａ）（７ｂ）等辺
（８）支持板
（８ａ）孔
（８ｂ）突片
（９）位置決め孔
（１０ａ）稜線
（１０ｂ）斜辺
（１１）ハーフミラー
（１２）パンチングパネル
（Ａ）光線分岐体
【図１】
2004192881.tif 000003
【図２】
2004192881.tif 000004
【図３】
2004192881.tif 000005
【図４】
2004192881.tif 000006
【図５】
2004192881.tif 000007
【図６】
2004192881.tif 000008
【図７】
2004192881.tif 000009
【図８】
2004192881.tif 000010
【図９】
2004192881.tif 000011
【図１０】
2004192881.tif 000012
【図１１】
2004192881.tif 000013
【図１２】
2004192881.tif 000014